【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
ハウジング（２０）と、
ランセット本体（３０）であって、前記ランセット本体と結合された鋭い先端（３６）を有し、かつ穿刺方向前方へ付勢されるまたは付勢可能である、ランセット本体と、
前記ランセット本体（３０）を解除して前記穿刺方向へ進行させるために発射位置へ移動可能なトリガー機構（２２）と、
少なくとも部分的に前記ランセット先端（３６）を被覆するための取外し可能な安全キャップ（３２）と、
を備える、血液採取装置であって、
前記ランセット本体が、前記トリガー機構（２２）がその発射位置へ移動することが阻止される初期位置と、前記トリガー機構がその発射位置へ移動できる中間位置とを有し、前記中間位置が、前記安全キャップ（３２）を取り外すと得られる、
血液採取装置。
【請求項２】
前記トリガー機構が、前記ランセット本体（３０）の移動を抑制する休息位置から前記抑制が取り除かれる前記発射位置へ移動可能なトリガー部材（２４）を備える、
請求項１に記載の装置。
【請求項３】
前記トリガー部材（２４）が、前記ランセット本体（３０）の前進移動経路を概ね横切って移動するように取り付けられる、
請求項２に記載の装置。
【請求項４】
前記トリガー部材（２４）が、前記ハウジング（２０）に対してロッキング移動するように取り付けられる、
請求項３に記載の装置。
【請求項５】
前記キャップ（３２）が、前記穿刺方向へ取外し可能であり、取り外されると、前記ランセット本体（３０）を駆動ばね（４０）によって前記穿刺方向へ前記中間位置まで付勢でき、前記トリガー機構（２２）が作動されたとき前記駆動ばねによってさらに付勢する準備が整う、
請求項１〜４のいずれか１項に記載の装置。
【請求項６】
前記ランセット本体（３０）が、前記トリガー機構（２２）の当接面（２６）と係合可能な当接面（３５）を含み、前記ランセット本体（３０）が前記初期位置にあるとき、前記トリガー機構が前記発射位置へ移動するのを防止する、
請求項１〜５のいずれか１項に記載の装置。
【請求項７】
前記キャップ（３２）が取り外されたとき、前記ランセット本体（３０）の前記当接面（３５）が前記ランセット本体（３０）と一緒に前記中間位置まで移動可能であり、このとき、前記それぞれの当接面（３５、２６）がもはや係合できず、前記トリガー機構（２２）がその発射位置へ移動することが可能である、
請求項６に記載の装置。
【請求項８】
前記中間位置が、前記トリガー機構（２２）の爪（２８）が前記ランセット本体のラッチ面（３７）と係合することによって維持される、
請求項１〜７のいずれか１項に記載の装置。
【請求項９】
前記トリガー機構（２２）が、トリガー部材（２４）と前記爪（２８）との間に蝶番領域（２１）を有するトリガーレバーを含み、前記それぞれの当接面（３５、２６）の前記係合が前記レバーの蝶番式移動を防止または制限する、
請求項８に記載の装置。
【請求項１０】
前記駆動ばね（４０）が圧縮ばねを備える、
請求項５または請求項５に従属する請求項のいずれか１項に記載の装置。
【請求項１１】
前記キャップ（３２）が、前記ハウジングの外部の把握部（３１）と、実質的に前記ハウジング内部のステム（３３）とを有する、
請求項１〜１０のいずれか１項に記載の装置。
【請求項１２】
前記ステム（３３）が、前記穿刺方向に概ね直交する平面において延びる１つまたはそれ以上の突起部（３９）を含み、
前記ハウジング（２０）が、相補的形状を持つ開口部（２９）を含み、前記キャップ（３２）は、前記開口部（２９）の中に前記各ステム突起部（３９）によって捕捉されるが、前記キャップが捻られて前記または各突起部（３９）が前記相補的形状を持つ開口部（２９）と整列すると、前記開口部（２９）から解除できる、
請求項１１に記載の装置。
【請求項１３】
前記または各突起部が、前記ステム（３３）の両側の１対の対向する鉤状部（３９）を含み、前記開口部がスロット（２９）の形であり、前記スロットが、前記鉤状部の１つの向きでは前記スロットを通過する前記鉤状部の前進通過を許容するが他の向きでは前記鉤状部の前進通過を防止する、
請求項１２に記載の装置。
【請求項１４】
前端部に開口部（２９）を有するハウジング（２０）と、
前記ハウジング内に配置された、結合された鋭い先端（３６）を持つランセット本体（３０）と、
少なくとも部分的に前記先端（３６）を被覆しかつ前記開口部（２９）を通過して前方へ延びて外部からアクセス可能なタブ部（３１）と合体するステム部（３３）を有するキャップ（３２）と、
前記キャップ（３２）の前進移動を抑制すると共にロック位置から解除位置へ捻って解除可能にするロック配列体（３９、２９）と、
を備える、血液採取装置であって、
前記ロック配列体が、前記ステム部（３３）と前記ハウジングにそれぞれの当接部（３９）を備え、前記ロック配列体が前記ロック位置にあるときには前記当接部が整列して前記キャップ（３２）の前進移動を阻止するが、前記キャップがその自由位置まで捻られると発射前位置から発射準備位置へ前進移動できるようにし、前記当接部の少なくとも一方（３９）が、弾性的に移動可能であり、組立時に協働当接部を越えて後方へスナップ式に嵌めることができる、
血液採取装置。
【請求項１５】
前記ハウジングの前記ロック当接部が、解除したとき前記ステム部（３３）が通過できる前記開口部（２９）の壁を含む、
請求項１４に記載の血液採取装置。
【請求項１６】
前記開口部（２９）が細長い形状の横断スロットであり、前記ステムの前記ロック当接部が前記ステム部（３３）とは反対向きの横断突起部（３９）を備える、
請求項１５に記載の血液採取装置。
【請求項１７】
前記ステム部（３３）の前記または各当接部（３９）が弾性的に移動可能である、
請求項１４〜１６のいずれか１項に記載の血液採取装置。
【請求項１８】
前記または各当接面（３９）が鉤状の形状である、
請求項１７に記載の血液採取装置。
【請求項１９】
前記当接部が前記ステム部（３３）のスロット付き領域に一体的に形成される、
請求項１７または１８に記載の血液採取装置。
【請求項２０】
ハウジングと、
鋭い先端を有し、かつ穿刺方向前方へ付勢されるまたは付勢可能なランセット本体と、
前記ランセットを解除して前記穿刺方向へ進行させるために発射位置へ移動可能な手動トリガー部材と、
を備える、血液採取装置であって、
前記ランセットが、前記ランセット本体の当接面が前記トリガー部材の相補的当接面と阻止整列することによって、前記トリガー機構がその発射位置へ移動することが阻止される初期位置と、前記トリガー機構をその発射位置へ移動できるように前記当接面が整列から外れるようにシフトさせる、前記初期位置から前方へ離間した中間位置と、を有する、
血液採取装置。
【請求項２１】
血液採取装置を製造する方法であって、
前端部に開口部（２９）を有しかつ組立時に開放位置から閉鎖位置へ移動可能なハウジング（２０）を用意するステップと、
結合された鋭い先端（３６）を有し、かつ少なくとも部分的に前記先端を被覆すると共に前方へ延びて外部からアクセス可能なタブ（３１）と合体するステム部（３３）を備える一体的に形成されたキャップ（３２）を含むランセット本体（３０）を用意するステップであって、前記ステムが、使用時に前記ハウジングの当接部と協働する少なくとも１つの当接部（３９）を有する、ステップと、
前記ハウジングが開放されているときに、前記タブを前記ハウジングの前方へ離間させた状態で、一体的に形成されたキャップ（３２）本体及び駆動ばねと一緒に前記ランセット本体（３０）を前記ハウジングの中に配置するステップと、
前記ハウジング（２０）を閉鎖するステップと、
前記キャップ（３２）を前記ハウジング（２０）に対して相対的に後方へ移動させて、前記駆動ばね（４０）を圧縮させると共に、前記ステムの前記当接部を前記ハウジングの前記当接部を越えてスナップ式に嵌めて、前記当接部（３９）の係合によって前記ランセット本体（３０）を発射位置または発射前位置に保持するステップと、
を含む、
方法。
【請求項２２】
前記ステムの前記または各当接部が前記ハウジングの比較的非可動性の当接部を越えてスナップ式に嵌める弾性的に移動可能な鉤状部（３９）である、
請求項２１に記載の方法。